(57)【要約】 【課題】テレビ電話にとって不適当な環境であれば、通信相手へ送信する情報を制御できるようにする。 【解決手段】ＣＰＵ１１は、ＴＶ電話通信時に現在の環境状況を取得して規制条件テーブルＣＣの規制条件と比較することによってＴＶ電話にとって不適当な環境であるか否かを判定し、不適当な環境であれば、通信相手への送信を制御する。 【選択図】  図１
2008131412.tif 000002
【特許請求の範囲】
【請求項１】
通信相手との電話通信時にカメラ撮影された撮影画像及びマイク入力された入力音声を送信するテレビ電話装置であって、
通信相手への送信を制御する送信制御条件として環境状況を記憶管理する条件記憶手段と、
電話通信時に現在の環境状況を取得する取得手段と、
この取得手段によって得られた現在の環境状況と前記制御条件とを比較することによってテレビ電話にとって不適当な環境であるか否かを判定する判定手段と、
この判定手段によってテレビ電話に不適当な環境であることが判別された際に、通信相手に送信される撮影画像、入力音声のうち、少なくともそのいずれか一方を制御する制御手段と、
を具備したことを特徴とするテレビ電話装置。
【請求項２】
予め特定場所の位置情報が前記送信制御条件として記憶管理されている状態において、前記取得手段は、電話通信時に現在の位置情報を取得し、前記判定手段は、現在の位置情報が前記送信制御条件に一致するか否かに基づいてテレビ電話に不適当な環境であるか否かを判定する、
ようにしたことを特徴とする請求項１記載のテレビ電話装置。
【請求項３】
予め特定場所を背景として撮影した撮影画像内の背景部分が前記送信制御条件として記憶管理されている状態において、前記取得手段は、電話通信時に撮影した現在の撮影画像内から背景部分を取得し、前記判定手段は、現在の撮影画像内から取得した背景部分と前記送信制御条件とを比較して特徴的に一致するか否かに基づいてテレビ電話に不適当な環境であるか否かを判定する、
ようにしたことを特徴とする請求項１記載のテレビ電話装置。
【請求項４】
予め周囲の明るさ情報が前記送信制御条件として記憶管理されている状態において、前記取得手段は、電話通信時に現在の明るさ情報を取得し、前記判定手段は、現在の明るさ情報と前記送信制御条件とを比較することによってテレビ電話に不適当な環境であるか否かを判定する、
ようにしたことを特徴とする請求項１記載のテレビ電話装置。
【請求項５】
予め周囲音情報が前記送信制御条件として記憶管理されている状態において、前記取得手段は、電話通信時に現在の周囲音情報を取得し、前記判定手段は、現在の周囲音情報と前記送信制御条件とを比較することによってテレビ電話に不適当な環境であるか否かを判定する、
ようにしたことを特徴とする請求項１記載のテレビ電話装置。
【請求項６】
前記判定手段によってテレビ電話に不適当な環境であると判定された際に、前記制御手段は、撮影画像、入力音声のいずれか一方を変更する、
ようにしたことを特徴とする請求項１記載のテレビ電話装置。
【請求項７】
前記撮影画像を変更する際に、その背景部分を特定して当該部分を加工する画像加工処理、この撮影画像を予め登録されている登録画像に差し替える代替処理のうち、そのいずれかを実行する、
ようにしたことを特徴とする請求項６記載のテレビ電話装置。
【請求項８】
前記判定手段によってテレビ電話に不適当な環境であると判定された際に、前記制御手段は、撮影画像、入力音声のいずれか一方の送信を禁止する、
ようにしたことを特徴とする請求項１記載のテレビ電話装置。
【請求項９】
電話通信時にその相手が予め登録されている登録相手であるか否かを判別する判別手段を設け、
この判別手段による判別結果に応じて前記制御手段は、撮影画像、入力音声のうち、少なくともそのいずれか一方を制御する、
ようにしたことを特徴とする請求項１記載のテレビ電話装置。
【請求項１０】
前記条件記憶手段は、撮影画像あるいは入力音声をどのように制御するかを示す複数の制御種に対応付けて、この制御種毎に送信制御条件を記憶管理し、
前記判定手段は、前記取得手段によって得られた現在の環境状況と前記制御種毎の送信制御条件とを比較した結果、いずれかの条件に該当したか否かに基づいてテレビ電話にとって不適当な環境であるか否かを判定する、
ようにしたことを特徴とする請求項１記載のテレビ電話装置。
【請求項１１】
前記送信制御条件の変更がユーザ指示された際に、前記取得手段によって得られた現在の環境状況を前記送信制御条件として設定する、
ようにしたことを特徴とする請求項１記載のテレビ電話装置。
【請求項１２】
コンピュータに対して、
通信相手との電話通信時にカメラ撮影された撮影画像、マイク入力された入力音声を送信する場合に、その送信を制御する送信制御条件として環境状況を記憶管理する機能と、
電話通信時に現在の環境状況を取得する機能と、
この取得した現在の環境状況と前記送信制御条件とを比較することによってテレビ電話にとって不適当な環境であるか否かを判定する機能と、
テレビ電話に不適当な環境であることが判別された際に、通信相手に送信される撮影画像、入力音声のうち、少なくともそのいずれか一方を制御する機能と、
を実現させるためのプログラム。
【発明の詳細な説明】
【技術分野】
【０００１】
この発明は、通信相手との電話通信時にカメラ撮影画像及び入力音声を送信するテレビ電話装置及びプログラムに関する。
【背景技術】
【０００２】
従来、自らがカメラ撮影した画像を通信相手に送信してテレビ電話通信を行う携帯電話装置が知られている（特許文献１参照）。また、通信相手あるいは通話時間帯に応じてカメラ撮影画像の中から背景部分をカットして人物部分を送信するようにした技術が知られている（特許文献２参照）。
【特許文献１】特開２００５−７３０８０号公報
【特許文献２】特開２００６−１３８５６号公報
【発明の開示】
【発明が解決しようとする課題】
【０００３】
ところで、テレビ電話機能付き携帯電話装置にあっては、移動に伴って周囲の環境が刻々と変化するため、どのような場所でテレビ電話を使用するかは分からず、例えば、自室などのようにプライバシーを保ちたい場所、自動車内などのようにテレビ電話にとって不適当な場所でも相手から通話呼出しを受けることがある。このような場合、上述した特許文献２によれば、背景部分をカットして送信することができるため、プライバシー保護の点では効果的であるが、通信相手あるいは通話時間帯を前提とする技術であった。
【０００４】
この発明の課題は、テレビ電話にとって不適当な環境であれば、通信相手へ送信する情報を制御できるようにすることである。
【課題を解決するための手段】
【０００５】
請求項１記載の発明は、通信相手との電話通信時にカメラ撮影された撮影画像及びマイク入力された入力音声を送信するテレビ電話装置であって、通信相手への送信を制御する送信制御条件として環境状況を記憶管理する条件記憶手段と、電話通信時に現在の環境状況を取得する取得手段と、この取得手段によって得られた現在の環境状況と前記送信制御条件とを比較することによってテレビ電話にとって不適当な環境であるか否かを判定する判定手段と、この判定手段によってテレビ電話に不適当な環境であることが判別された際に、通信相手に送信される撮影画像、入力音声のうち、少なくともそのいずれか一方を制御する制御手段を具備したことを特徴とする。
更に、コンピュータに対して、上述した請求項１記載の発明に示した主要機能を実現させるためのプログラムを提供する（請求項１２記載の発明）。
【０００６】
なお、上述した請求項１記載の発明は次のようなものであってもよい。
予め特定場所の位置情報が前記送信制御条件として記憶管理されている状態において、前記取得手段は、電話通信時に現在の位置情報を取得し、前記判定手段は、現在の位置情報が前記送信制御条件に一致するか否かに基づいてテレビ電話に不適当な環境であるか否かを判定する（請求項２記載の発明）。
【０００７】
予め特定場所を背景として撮影した撮影画像内の背景部分が前記送信制御条件として記憶管理されている状態において、前記取得手段は、電話通信時に撮影した現在の撮影画像内から背景部分を取得し、前記判定手段は、現在の撮影画像内から取得した背景部分と前記送信制御条件とを比較して特徴的に一致するか否かに基づいてテレビ電話に不適当な環境であるか否かを判定する（請求項３記載の発明）。
【０００８】
予め周囲の明るさ情報が前記送信制御条件として記憶管理されている状態において、前記取得手段は、電話通信時に現在の明るさ情報を取得し、前記判定手段は、現在の明るさ情報と前記送信制御条件とを比較することによってテレビ電話に不適当な環境であるか否かを判定する（請求項４記載の発明）。
【０００９】
予め周囲音情報が前記送信制御条件として記憶管理されている状態において、前記取得手段は、電話通信時に現在の周囲音情報を取得し、前記判定手段は、現在の周囲音情報と前記送信制御条件とを比較することによってテレビ電話に不適当な環境であるか否かを判定する（請求項５記載の発明）。
【００１０】
前記判定手段によってテレビ電話に不適当な環境であると判定された際に、前記制御手段は、撮影画像、入力音声のいずれか一方を変更する（請求項６記載の発明）。
この場合、前記撮影画像を変更する際に、その背景部分を特定して当該部分を加工する画像加工処理、この撮影画像を予め登録されている登録画像に差し替える代替処理のうち、そのいずれかを実行するようにしてもよい（請求項７記載の発明）。
【００１１】
前記判定手段によってテレビ電話に不適当な環境であると判定された際に、前記制御手段は、撮影画像、入力音声のいずれか一方の送信を禁止する（請求項８記載の発明）。
【００１２】
電話通信時にその相手が予め登録されている登録相手であるか否かを判別する判別手段を設け、この判別手段による判別結果に応じて前記制御手段は、撮影画像、入力音声のうち、少なくともそのいずれか一方を制御する（請求項９記載の発明）。
【００１３】
前記条件記憶手段は、撮影画像あるいは入力音声をどのように制御するかを示す複数の制御種に対応付けて、この制御種毎に送信制御条件を記憶管理し、前記判定手段は、前記取得手段によって得られた現在の環境状況と前記制御種毎の送信制御条件とを比較した結果、いずれかの条件に該当したか否かに基づいてテレビ電話にとって不適当な環境であるか否かを判定する（請求項１０記載の発明）。
【００１４】
前記送信制御条件の変更がユーザ指示された際に、前記取得手段によって得られた現在の環境状況を前記送信制御条件として設定する（請求項１１記載の発明）。
【発明の効果】
【００１５】
この発明は、テレビ電話にとって不適当な環境であれば、通信相手へ送信する情報を制御することができ、特別な操作を行うことなく、プライバシー保護、セキュリティ管理などを維持することができる。
【発明を実施するための最良の形態】
【００１６】
以下、図１〜図１１を参照して本発明の実施例を説明する。
この実施例は、ＴＶ（テレビ）電話装置としてＴＶ電話機能付き携帯電話装置に適用した場合を例示したもので、図１は、通信ネットワークシステムを示したブロック図である。
携帯電話装置１は、最寄りの基地局、交換機から携帯無線網（公衆移動体通信網）２を介して相手側の携帯電話装置１に接続されるほか、更に、インターネット３を介して相手側のＩＰ（Internet Protocol）電話機能付きＰＣ（パーソナルコンピュータ）４あるいは固定電話５に接続可能となっている。この携帯電話装置１には、音声データを送受信して通話する音声電話機能、音声以外にリアルタイム画像を送受信して通話するＴＶ電話機能を備え、相手側との間でＴＶ電話による通話が可能となっている。更に、携帯電話装置１には音声電話機能、ＴＶ電話機能のほか、電子メール機能、インターネット接続機能などが備えられている。
【００１７】
図２は、このＴＶ電話機能付き携帯電話装置１の基本的な構成要素を示したブロック図である。
ＣＰＵ１１は、記憶部１２内の各種のプログラムに応じてこの携帯電話装置の全体動作を制御する中核的な中央演算処理装置である。記憶部１２は、内部メモリであり、プログラム領域とデータ領域とを有し、このプログラム領域には、後述する図６〜図９に示す動作手順に応じて本実施例を実現するためのプログラムが格納されており、また、そのデータ領域には後述する規制条件テーブルＣＣ、規制種テーブルＣＫ、アドレス帳ＡＤが格納されている。記録メディア１３は、着脱自在な可搬型メモリで、各種のデータ・プログラムを外部供給するもので、例えば、ＳＤカード、ＩＣカードなどによって構成されている。メモリ１４は、ワーク領域を有する内部メモリであり、必要に応じてメモリ１４内の各種のデータは、記憶部１２にセーブされる。なお、メモリ１４のワーク域内には、後述する「規制フラグ」、「設定フラグ」などが一時記憶される。
【００１８】
電話通信部１５は、無線部を構成するアンテナに接続された送受信部（ベースバンド部）の受信側から信号を取り込んで受信ベースバンド信号に復調したのちに、音響制御部１６を介して受話スピーカ１７から音声出力させる。また、電話通信部１５は、送話マイク１８からの入力音声を音響制御部１６から取り込み、送信ベースバンド信号に符号化したのち、送受信部の送信側に与えてアンテナから発信出力させる。送話マイク１８は、周囲音を検出するセンサとしても使用され、ＣＰＵ１１は、ＴＶ電話の通信時に、現在、どのような環境に居るかを送話マイク１８の検出結果に基づいて特定するようにしている。一方、ＴＶ電話機能によって電話通信部１５を介して受信取得したリアルタイム画像（例えば、相手側の顔画像）は、表示制御部１９を介してＬＣＤ（液晶表示装置）などのメイン表示部２０に与えられて表示出力される。サブ表示部２１は現在日時、簡易なメッセージ、アイコンなどを表示出力する。
【００１９】
インカメラ２２は、自己の顔などを撮影するＴＶ電話用のカメラ撮像部であり、例えば、この携帯電話装置を構成する２つの筐体（操作部筐体、表示部筐体）が開閉可能（折り畳み可能）に取り付けられている場合に、この２つの筐体を開いた状態において、そのレンズ系がユーザ（撮影者）に対面するように表示部筐体の内側（表示画面側）に配置されている。ＣＰＵ１１は、ＴＶ電話の通信時に、インカメラ２２からの撮影画像を取得し、その背景部分に基づいて現在、どのような環境に居るかを特定するようにしている。なお、インカメラ２２は、撮影レンズ、ミラー等のレンズ・ミラーブロック、撮像素子、その駆動系のほか、測距センサ、光量センサ、アナログ処理回路、信号処理回路、圧縮伸張回路などを備え、光学ズームを調整制御するほか、オートフォーカス時の駆動制御、シャッター駆動制御、露出、ホワイトバランス等を制御する。
【００２０】
キー操作部２３は、ダイヤル入力、文字入力、コマンド入力などを行うもので、ＣＰＵ１１は、キー操作部２４からのキー入力信号に応じた処理を実行する。報知部２４は、着信報知などの報知用のスピーカ、ＬＥＤ(発光ダイオード）、振動モータを備え、電話・メール着信時に駆動されて着信報知を行うほか、アラーム報知時にも駆動される。ＧＰＳ（Global Positioning System）受信部２５は、衛星と地上の制御局を利用して現在の位置(経緯度）を取得するもので、ＣＰＵ１１は、ＴＶ電話の通信時に、ＧＰＳ受信部２５から現在位置を取得し、現在、どのような環境に居るかを特定するようにしている。照度センサ２６は、ＴＶ電話の通信時に、人間の眼に近い感度で周囲の明るさを検出するもので、ＣＰＵ１１は、現在、どのような環境に居るかを照度センサ２６の検出結果に基づいて特定するようにしている。
【００２１】
図３は、規制条件テーブルＣＣを説明するための図である。
規制条件テーブルＣＣは、ＴＶ電話の通信時にカメラ撮影された撮影画像、マイク入力された入力音声を送信する場合に、その送信を一定の条件下で規制するためのテーブルである。すなわち、規制条件テーブルＣＣは、ＴＶ電話の送信を規制する送信規制条件をその規制の種類別に記憶管理するもので、複数の規制種「背景変更」、「事前登録」、「画像なし」、「音声なし」別に、複数の環境状況「場所」、「背景」、「明るさ」、「周囲音」毎の規制条件を記憶する構成となっている。この場合、「場所」、「背景」、「明るさ」、「周囲音」を横方向（列方向）に配置し、「背景変更」、「事前登録」、「画像なし」、「音声なし」を縦方向（行方向）に配置したマトリックス状の表内において、そのセル内に規制条件を任意に設定するようにしている。
【００２２】
この複数種の環境状況は、ＴＶ電話にとって不適当な環境を示すもので、例えば、「場所」には、自宅などのプライベートな場所のように予め任意に登録した場所の位置情報（経緯度情報）が設定される。「背景」には、ＴＶ電話の通信時に撮影された撮影画像内の背景を手かがりに現在、どの場所に居るかを特定するために、予めその場所を撮影した撮影画像が設定されるもので、例えば、会社などのセキュリティ管理されている部屋を予め撮影した撮影画像が背景画像として設定される。「明るさ」には、例えば、屋内の明るさなど、予め任意の場所で測定された明るさ情報が設定されるもので、例えば、“２５〜３５”ルックスなどのように幅を持たせて設定されている。
【００２３】
「周囲音」には、例えば、昼休みの食堂内での騒音などのように予め任意の場所で録音した音量情報が設定されるもので、例えば、４０〜７０デシベル”のように幅を持たせて設定されている。この「場所」、「背景」、「明るさ」、「周囲音」は、規制種毎に任意に設定可能であり、例えば、「場所」には、「背景変更」に対応して送信規制条件“Ａ”、“Ｂ”、“Ｃ”を設定したり、「背景」に対応して送信規制条件“Ｘ”、“Ｙ”を設定したりするなど、複数の場所を送信規制条件として任意に設定することができるが、勿論、“設定なし”としてもよい。
【００２４】
ＴＶ電話の通信時に、ＣＰＵ１１は、ＧＰＳ受信部２５から現在位置を取得し、規制条件テーブルＣＣのいずれかの「場所」に該当していれば、この「場所」に対応する規制種に応じてＴＶ電話の送信を制御する。同様に、ＣＰＵ１１は、ＴＶ電話の通信時に、インカメラ２２によって撮影された撮影画像内からその背景部分を取得し、規制条件テーブルＣＣのいずれかの「背景」に該当していれば、この「背景」に対応する規制種に応じてＴＶ電話の送信を制御し、また、照度センサ２６から周囲の明るさを取得し、規制条件テーブルＣＣのいずれかの「明るさ」に該当していれば、この「明るさ」に対応する規制種に応じてＴＶ電話の送信を制御し、また、送話マイク１８から周囲音を取得し、規制条件テーブルＣＣのいずれかの「周囲音」に該当していれば、この「周囲音」に対応する規制種に応じてＴＶ電話の送信を制御する。
【００２５】
「背景変更」は、ＴＶ電話の通信時にインカメラ２２によって撮影された撮影画像内の背景部分を予め用意されているほかの背景画像に差し替える背景変更処理を実行させるための指示情報である。「事前登録」は、ＴＶ電話の通信時にインカメラ２２によって撮影された撮影画像の代替として、予め登録されている登録画像を送信する画像変更処理を実行させるための指示情報である。「画像なし」は、ＴＶ電話の通信時にインカメラ２２によって撮影された撮影画像を送信せず、送話マイク１８からの入力音声のみを送信する画像カット処理を実行させるための指示情報である。「音声なし」は、送話マイク１８からの入力音声を送信せず、インカメラ２２によって撮影された撮影画像のみを送信する音声カット処理を実行させるための指示情報である。
【００２６】
図４は、規制種テーブルＣＫを説明するための図である。
規制種テーブルＣＫは、予め任意に登録された登録画像（撮影画像を変更するための画像）を記憶管理するもので、規制種の「背景変更」、「事前登録」に対応して、その「登録画像」を記憶する構成となっている。この場合、「背景変更」に対応する「登録画像」は、撮影画像に合成される画像、つまり、人物などの背景となる画像であり、例えば、モザイク画像、オフィス内画像などである。「事前登録」に対応する「登録画像」は、撮影画像の代替となる画像であり、例えば、本人の正装画像、ペット撮影画像などである。なお、この「登録画像」は、静止画に限らず、アニメーションなどの動画であってもよい。
【００２７】
図５は、アドレス帳ＡＤを説明するための図である。
アドレス帳ＡＤは、相手先別にそのアドレス帳データを記憶管理するもので、各レコードは、「名前」、「電話番号」、「許可フラグ」のほか、例えば、図示しないが、「住所」、「顔画像」、「メールアドレス」などの項目を有する構成となっている。「許可フラグ」は、ＴＶ電話の通信時にその相手方が規制対象外であることを示すフラグである。すなわち、送信が規制される環境下であっても、アドレス帳ＡＤに「許可フラグ」がセットされている相手に対しては、通常の電話応答（通常どおりの送信）を許可することを示すフラグであり、例えば、家族、親友に「許可フラグ」をセットしておけば、家族、親友に対しては、規制対象外となる。
【００２８】
次に、この実施例における携帯電話装置１の動作概念を図６〜図９に示すフローチャートを参照して説明する。ここで、これらのフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。すなわち、記録媒体のほかに、伝送媒体を介して外部供給されたプログラム／データを利用してこの実施例特有の動作を実行することもできる。
【００２９】
図６〜図９は、電源投入に伴って実行開始される携帯電話装置１の全体動作を示したフローチャートである。
先ず、ＣＰＵ１１は、電話通信部１５を作動させて現在位置を登録する待受処理を行うと共に（ステップＳ１）、所定の待受画像を読み出して表示出力させながら電話／メールの待受状態となる（ステップＳ２）。この状態において、電話／メール着信なしを検出すると（ステップＳ２でＮＯ）、図９のフローに移り、何らかの操作有無をチェックする（ステップＳ５９）。その結果、いずれの操作も行われなければ、待受状態に戻るが（図６のステップＳ１）、いずれかの操作が行われたときには（ステップＳ５９でＹＥＳ）、電話発信操作であるかを調べ（ステップＳ６０）、それ以外の操作であれば、その操作に対応する処理として、例えば、規制条件テーブルＣＣ、規制種テーブルＣＫ、アドレス帳Ａに任意のデータを設定する設定処理、メール作成処理などを実行したのち（ステップＳ６１）、最初の待受状態に戻る（図６のステップＳ１）。
【００３０】
いま、電話着信を検出すると（ステップＳ２でＹＥＳ）、ＣＰＵ１１は、その着信信号の中からその相手の電話番号を取得すると共に、この電話番号に基づいてアドレス帳ＡＤを検索し、その相手に対応して「許可フラグ」がセットされているか、つまり、通常の電話応答が許可されている許可相手からの着信であるかを調べ（ステップＳ３）、許可相手からの着信であれば、ステップＳ１９に移り、規制なしメッセージ付の着信報知を指示する。つまり、通常と同様のＴＶ電話通信が可能であることを示すメッセージを出力しながら着信報知を行う。
【００３１】
また、許可相手以外からの着信であれば（ステップＳ３でＮＯ）、現在の環境状況を取得し、ＴＶ電話にとって不適当な環境で、相手への送信を規制するか否かの判別を行う。先ず、ＣＰＵ１１は、ＧＰＳ受信部２５を起動させて現在位置を取得し、この現在位置に基づいて規制条件テーブルＣＣを検索する場所チェック処理を行う（ステップＳ４）。この場合、規制種別にその「場所」をアクセスし、いずれかの規制条件に現在位置が一致するか否かをチェックする。その結果、いずれかの「場所」に該当し、規制条件が成立したときには（ステップＳ５でＹＥＳ）、ＴＶ電話にとって不適当な環境であると判断し、該当する規制種をメモリ１４のワーク域内に一時記憶しておく（ステップＳ６）。そして、規制条件に該当したことを示す「規制フラグ」をセットするほか（ステップＳ７）、規制有りメッセージ付の着信報知を指示する（ステップＳ８）。この場合、通常の着信報知と共、送信が規制されることを示すメッセージを出力させる。
【００３２】
また、規制場所に該当していなければ（ステップＳ５でＮＯ）、インカメラ２２を起動させてその撮影画像を取得し（ステップＳ９）、その撮影画像内から背景部分を抽出すると共に、この背景部分に基づいて規制条件テーブルＣＣを検索するカメラ背景チェック処理を行う（ステップＳ１０）。この場合、規制種別にその「背景」をアクセスし、撮影画像から抽出した背景部分がいずれかの規制条件に特徴的に一致するか否かをチェックする。なお、全体的に一致するか否かに限らず、部分的な一致する場合でも両者は、特徴的に一致すると判断するようにしてもよい。
【００３３】
例えば、背景部分に特定の物が写されている場合、複数の物の相対的な距離関係が一定しているような場合に両者は、特徴的に一致すると判断するようにしてもよい。このようなチェック処理の結果、いずれかの「背景」に該当し、規制条件が成立したときには（ステップＳ１１でＹＥＳ）、上述の場合と同様、ＴＶ電話にとって不適当な環境であると判断し、該当する規制種を一時記憶すると共に（ステップＳ１２）、「規制フラグ」をセットして（ステップＳ７）、規制有りメッセージ付の着信報知を指示する（ステップＳ８）。
【００３４】
また、いずれの登録背景にも該当していなければ（ステップＳ１１でＮＯ）、照度センサ２６を起動させて周囲の明るさを取得し、この明るさ情報に基づいて規制条件テーブルＣＣを検索する明るさチェック処理を行う（ステップＳ１３）。この場合、規制種別にその「明るさ」をアクセスし、照度センサ２６の測定値がいずれかの規制条件に該当するか否かをチェックする。その結果、いずれかの「明るさ」に該当して規制条件が成立したときには （ステップＳ１２でＹＥＳ）、上述の場合と同様、該当する規制種を一時記憶すると共に（ステップＳ１５）、「規制フラグ」をセットし（ステップＳ７）、規制有りメッセージ付の着信報知を指示する（ステップＳ８）。
【００３５】
更に、いずれの明るさにも該当していなければ（ステップＳ１２でＮＯ）、送話マイク１８を起動させて周囲音を取得し、この周囲音情報に基づいて規制条件テーブルＣＣを検索する周囲音チェック処理を行う（ステップＳ１６）。この場合、規制種別にその「周囲音」をアクセスし、測定した周囲音がいずれかの規制条件に該当するか否かをチェックする。その結果、いずれかの「周囲音」に該当して規制条件が成立したときには （ステップＳ１７でＹＥＳ）、上述の場合と同様、該当する規制種を一時記憶すると共に（ステップＳ１８）、「規制フラグ」をセットし（ステップＳ７）、規制有りメッセージ付の着信報知を指示する（ステップＳ８）。他方、「場所」、「背景」、「明るさ」、「周囲音」の全ての条件に該当せず、条件不成立を検出したときには（ステップＳ１７でＮＯ）、規制なしメッセージ付の着信報知を指示する（ステップＳ１９）。
【００３６】
このようにして着信報知を開始したのちは、オフフック操作(通話開始操作）が行われたか（ステップＳ２０）、任意の規制条件を設定する設定処理の実行を指示する指示操作（規制設定操作）が行われたか（ステップＳ２１）、回線が切断されたかをチェックする（ステップＳ２２）。いま、回線が切断されたときには、最初の待受状態に戻るが（ステップＳ１）、規制設定操作が行われた場合には（ステップＳ２１でＹＥＳ）、「規制フラグ」をセットするほか（ステップＳ２３）、送信規制条件の設定が指示されたことを示す「設定フラグ」をセットしたのち（ステップＳ２４）、規制種メニューを表示出力させる（ステップＳ２５）。図１０は、規制種メニュー画面を示した図で、このメニュー画面には、「１．背景変更」、「２．事前登録」、「３．画像なし」、「４．音声なし」の項目を有し、ユーザ操作によって任意の規制種が設定対象として選択されると（ステップＳ２６）、この規制種をメモリ１４のワーク域内に一時記憶しておく（ステップＳ２７）。
【００３７】
また、オフフック操作が行われると（ステップＳ２０でＹＥＳ）、図７のフローに移り、インカメラ２２を起動したのち（ステップＳ２８）、「規制フラグ」のセット有無を調べ（ステップＳ２９）、「規制フラグ」がセットされていなければ、ＴＶ電話通信を開始し、撮影画像及び音声を相互に送受信する（ステップＳ４５）。すなわち、インカメラ２２によって撮影された撮影画像と送話マイク１８から入力された入力音声を相手先に対して送信し、また、その相手先から送信されてくる撮影画像と音声を受信して出力させる。そして、オンフック操作（回線切断操作）が行われるまで（ステップＳ４６でＹＥＳ）、撮影画像及び音声を相互に送受信するが（ステップＳ４５）、オンフック操作が行われると、最初の待受状態に戻る（図６のステップＳ１）。
【００３８】
一方、「規制フラグ」のセットされている場合には（ステップＳ２９でＹＥＳ）、メモリ１４のワーク域内に一時記憶されている規制種を読み出して「背景変更」、「事前登録」、「画像なし」、「音声なし」のいずれであるかをチェックする（ステップＳ３１〜Ｓ３３）。いま、規制種が「背景変更」の場合には（ステップＳ３１でＹＥＳ）、撮影画像を解析して人物部分を特定してその輪郭を抽出するほか（ステップＳ３４）、規制種テーブルＣＫから「背景変更」に対応付けられている「登録画像」を読み出し、この登録画像が背景となるように登録画像と人物画像部分とを合成する（ステップＳ３５）。そして、この合成画像と入力音声を相手先に送信し、また、その相手先から送信されてくる撮影画像と音声を受信して出力させる（ステップＳ３６）。以下、オンフック操作が行われるまで（ステップＳ３７でＹＥＳ）、上述のステップＳ３４に戻り、上述の動作が繰り返される（ステップＳ３４〜Ｓ３７）。
【００３９】
また、規制種が「事前登録」の場合には（ステップＳ３２でＹＥＳ）、規制種テーブルＣＫから「事前登録」に対応付けられている「登録画像」を読み出し（ステップＳ３８）、この登録画像を撮影画像の代替として入力音声と共に相手先に送信し、また、その相手先から送信されてくる撮影画像と音声を受信して出力させる（ステップＳ３９）。以下、オンフック操作が行われるまで（ステップＳ４０でＹＥＳ）、上述の動作が繰り返される（ステップＳ３９）。
【００４０】
また、規制種が「画像なし」の場合には（ステップＳ３３でＹＥＳ）、撮影画像の送信をキャンセルし、入力音声のみを相手先に送信し、また、その相手先から送信されてくる撮影画像と音声を受信して出力させる（ステップＳ４１）。以下、オンフック操作が行われるまで（ステップＳ４２でＹＥＳ）、上述の動作が繰り返される（ステップＳ４１）。また、規制種が「音声なし」の場合には（ステップＳ３３でＮＯ）、入力音声の送信をキャンセルし、撮影画像のみを相手先に送信し、また、その相手先から送信されてくる撮影画像と音声を受信して出力させる（ステップＳ４３）。以下、オンフック操作が行われるまで（ステップＳ４４でＹＥＳ）、上述の動作が繰り返される（ステップＳ４３）。
【００４１】
ここで、オンフック操作が行われると、図８のフローに移り、「設定フラグ」のセット有無をチェックし（ステップＳ４７）、「設定フラグ」がセットされていなければ、この時点で待受状態に戻るが（図６のステップＳ１）、「設定フラグ」がセットされていれば（ステップＳ４７でＹＥＳ）、規制条件選択メニューを表示出力させる（ステップＳ４８）。図１１は、この規制条件選択メニュー画面を示した図で、規制条件として「現在の場所」、「現在の背景」、「現在の明るさ」、「現在の周囲音」が表示される。このメニュー画面の中からユーザ操作によって任意の条件項目が選択されると（ステップＳ４９）、選択された条件に応じて送話マイク１８、インカメラ２２、ＧＰＳ受信部２５、照度センサ２６を選択的に駆動させる。
【００４２】
すなわち、選択条件が「現在の場所」の場合には（ステップＳ５０でＹＥＳ）、ＧＰＳ受信部２５を駆動させて現在位置を条件データとして取得し（ステップＳ５１）、「現在の背景」の場合には（ステップＳ５２でＹＥＳ）、インカメラ２２を駆動させてその撮影画像を条件データとして取得する（ステップＳ５３）。また、「現在の明るさ」の場合には（ステップＳ５４でＹＥＳ）、照度センサ２６を駆動させてその測定値（明るさ）を条件データとして取得し（ステップＳ５５）、「現在の周囲音」の場合には（ステップＳ５４でＮＯ）、送話マイク１８を駆動させてその周囲音量を条件データとして取得する（ステップＳ）。そして、上述のステップＳ２６で選択しておいた「規制種」と上述のステップＳ４９で今回選択した「規制条件」に基づいて規制条件テーブルＣＣをアクセスし、この「規制種」と「規制条件」との該当部分（セル部分）に今回取得した条件データを設定する（ステップＳ５７）。そして、「規制フラグ」、「設定フラグ」をリセットしたのち（ステップＳ５８）、待受状態に戻る（図６のステップＳ１）。
【００４３】
他方、電話発信操作が行われた場合には（図９のステップＳ６０でＹＥＳ）、アドレス帳ＡＤから「名前」を読み出して一覧表示させ、その中から任意の「名前」が選択されたり、相手の電話番号が直接入力されたりして相手先が選択されると（ステップＳ６２）、規制条件チェックが行われる（ステップＳ６３）。すなわち、この規制条件チェック処理は、上述した電話着信の場合と同様の処理、すなわち、場所チェック（図６のステップＳ４）、カメラ背景チェック（図６のステップＳ１０）、明るさチェック（図６のステップＳ１３）、周囲音チェック（図６のステップＳ１６）を行うもので、いずれの条件にも該当せず、条件不成立の場合には（ステップＳ６４でＮＯ）、ＴＶ電話通信を開始し、撮影画像及び音声を相互に送受信する動作をオンフック操作が行われるまで繰り返される（ステップＳ６７、Ｓ６８）。
【００４４】
また、いずれかの条件に該当して条件成立と判断した場合には（ステップＳ６４でＹＥＳ）、その条件に対応する規制種でＴＶ電話通信が規制される（ステップＳ６５）。すなわち、規制種が「背景変更」の場合には、上述した図７のステップＳ３４〜Ｓ３７と同様の処理が実行され、撮影画像の背景部分を登録画像に変更した合成画像を生成して入力音声と共に相手先に送信し、また、規制種が「事前登録」の場合には、上述したステップＳ３８〜Ｓ４０と同様の処理が実行され、撮影画像の代替として登録画像を入力音声と共に相手先に送信する。また、規制種が「画像なし」の場合には、上述したステップＳ４１、Ｓ４２と同様の処理が実行され、入力音声のみを相手先に送信し、また、規制種が「音声なし」の場合には、上述したステップＳ４３、Ｓ４４と同様の処理が実行され、撮影画像のみを相手先に送信する。そして、オンフック操作が行われるまで（ステップＳ６６でＹＥＳ）、上述の動作が繰り返される（ステップＳ６５）。
【００４５】
以上のように、この実施例においてＣＰＵ１１は、ＴＶ電話通信時に現在の環境状況を取得して規制条件テーブルＣＣの規制条件と比較することによってＴＶ電話にとって不適当な環境であるか否かを判定し、不適当な環境であれば、通信相手への送信を制御することにより、特別な操作を行うことなく、プライバシー保護、セキュリティ管理などを維持することができ、不意な電話着信にも迅速に対応することが可能となり、実用効果の高いものとなる。
【００４６】
ＣＰＵ１１は、ＴＶ電話通信時にＧＰＳ受信部２５から現在の位置情報を取得し、この現在位置に基づいて規制条件テーブルＣＣを参照し、「場所」の規制条件に一致するか否かに基づいてＴＶ電話に不適当な環境であるか否かを判定することにより、自宅などの位置情報を取得して登録しておくだけで、現在の居場所を特定することができる。
【００４７】
また、ＣＰＵ１１は、ＴＶ電話通信時に撮影した現在の撮影画像内から背景部分を取得し、この背景部分に基づいて規制条件テーブルＣＣを参照し、「登録背景」の規制条件に特徴的に一致するか否かに基づいてＴＶ電話に不適当な環境であるか否かを判定することにより、任意の場所を撮影して、それを背景画像として登録しておくだけで、背景を手がかりに現在の居場所を特定することができる。
【００４８】
ＴＶ電話通信時に照度センサ２６から現在の明るさ情報を取得し、この明るさ情報に基づいて規制条件テーブルＣＣを参照し、「明るさ」の規制条件に該当するか否かに基づいてＴＶ電話に不適当な環境であるか否かを判定することにより、部屋などの明るさを登録しておくだけで、明るさを手がかりに現在の居場所を特定することができる。
【００４９】
ＴＶ電話通信時に送話マイク１８から現在の周囲音を取得し、この周囲音に基づいて規制条件テーブルＣＣを参照し、「周囲音」の規制条件に該当するか否かに基づいてＴＶ電話に不適当な環境であるか否かを判定することにより、部屋の騒音状況などを登録しておくだけで、騒音などを手がかりに現在の居場所を特定することができる。
【００５０】
ＣＰＵ１１は、ＴＶ電話通信時に現在の環境状況を取得して規制条件テーブルＣＣの規制条件と比較した結果、ＴＶ電話にとって不適当な環境であれば、撮影画像の背景部分を登録画像に差し替えたり、撮影画像を登録画像に代替したりすることで、撮影画像を容易に変更することができ、プライバシー保護、セキュリティ管理上、効果的なものとなる。
【００５１】
また、ＴＶ電話通信時に現在の環境状況を取得して規制条件テーブルＣＣの規制条件と比較した結果、ＴＶ電話にとって不適当な環境であれば、撮影画像の送信をキャンセルして音声のみを送信し、あるいは音声の送信をキャンセルして撮影画像のみを送信することにより、プライバシー保護、セキュリティ管理がより確実なものとなる。
【００５２】
ＣＰＵ１１は、ＴＶ電話通信時にその相手がアドレス帳ＡＤに「許可フラグ」がセットされている相手であるか否か、つまり、予め登録されている登録相手であるか否かを判別し、許可相手以外であれば、ＴＶ電話の送信を規制するが、許可相手であれば、その規制を解除することにより、例えば、家族、親友などを規制対象外とすることができる。
【００５３】
規制条件テーブルＣＣは、複数の規制種「背景変更」、「事前登録」、「画像なし」、「音声なし」別に、複数の環境状況「場所」、「背景」、「明るさ」、「周囲音」毎の規制条件を記憶管理する構成であり、ＣＰＵ１１は、規制種別に環境毎の規制条件と現在の環境状況とを比較した結果、いずれかの条件に該当したか否かに基づいてＴＶ電話にとって不適当な環境であるか否かを判定することにより、様々な環境を手がかりに現在の居場所を特定することが可能となる。
【００５４】
規制条件の変更がユーザ指示された際に、ＣＰＵ１１は、送話マイク１８、インカメラ２２、ＧＰＳ受信部２５、照度センサ２６のいずれから取得した現在の環境状況を規制条件として設定することにより、規制条件テーブルＣＣの内容を何時でも自由に変更することが可能となる。
【００５５】
なお、上述した実施例において、１つの規制条件テーブルＣＣに「場所」、「背景」、「明るさ」、「周囲音」を設定するようにしたが、「場所」、「背景」、「明るさ」、「周囲音」毎に別の規制条件テーブルＣＣを設けてもよい。また、１つの規制条件テーブルＣＣに「場所」、「背景」、「明るさ」、「周囲音」が設定されている場合において、条件成立有無を判別する際に、ＯＲ（論理和）に限らず、ＡＮＤ（論理積）でその判別を行うようにしてもよい。例えば、「場所」と「背景」との論理積であれば、「場所」を自宅、「背景」を自分の部屋とすることによって、例え、高層の集合住宅、３階建などであっても自分の部屋を容易に特定することができる。また、「場所」と「明るさ」とを組み合わせれば、会社内の実験室などを容易に特定することができる。更に、「明るさ」と「周囲音」とを組み合わせたり、「背景」と「周囲音」とを組み合わせたりしてもよい。
【００５６】
上述した実施例においてＣＰＵ１１は、規制条件を設定して当該条件に該当した際に、ＴＶ電話にとって不適当な環境であると判定して送信を規制するようにしたが、これとは逆に、規制解除条件を設定するようにしてもよい。この場合、規制解除条件に該当しなければ、ＴＶ電話にとって不適当な環境であると判定して送信を規制するが、規制解除条件に該当した際には、ＴＶ電話に適した環境であると判定して送信規制を解除するようにしてもよい。
【００５７】
上述した実施例においては、規制条件テーブルＣＣに「場所」、「背景」、「明るさ」、「周囲音」を設定するようにしたが、そのほかに、「時間帯」を設定するようにしてもよい。これによって、例えば、自宅内に居る場合に深夜、早朝、食事時間では代替画像を送信するようにしてもよい。
【００５８】
上述した実施例においては、撮影画像の背景部分を登録画像に差し替えた合成画像を生成して送信するようにしたが、撮影画像の背景部分を“ぼかす”、モザイクを付加する、塗り潰すなどの加工を施すようにしてもよい。
そのほか、ＴＶ電話機能付の携帯電話装置に限らず、例えば、ＴＶ電話機能付のＰＤＡ・電子カメラ・電子腕時計・音楽再生機などの携帯端末装置であっても、同様に適用可能である。勿論、携帯端末装置に限らず、固定電話であってもよい。
【図面の簡単な説明】
【００５９】
【図１】ＴＶ電話装置としてＴＶ電話機能付き携帯電話装置に適用した場合の通信ネットワークシステムを示したブロック図。
【図２】ＴＶ電話機能付き携帯電話装置１の基本的な構成要素を示したブロック図。
【図３】規制条件テーブルＣＣを説明するための図。
【図４】規制種テーブルＣＫを説明するための図。
【図５】アドレス帳ＡＤを説明するための図。
【図６】電源投入に伴って実行開始される携帯電話装置１の全体動作を示したフローチャート。
【図７】図６に続く、フローチャート。
【図８】図７に続く、フローチャート。
【図９】図６に続く、フローチャート。
【図１０】規制種メニュー画面を示した図。
【図１１】規制条件選択メニュー画面を示した図。
【符号の説明】
【００６０】
１  携帯電話装置
２  携帯無線網
３  インターネット
４  ＰＣ
５  固定電話
１１  ＣＰＵ
１２  記憶部
１５  電話通信部
１８  送話マイク
２２  インカメラ
２６  照度センサ
２５  ＧＰＳ受信部
ＣＣ  規制条件テーブル
ＣＫ  規制種テーブル
ＡＤ  アドレス帳
【図１】
2008131412.tif 000003
【図２】
2008131412.tif 000004
【図３】
2008131412.tif 000005
【図４】
2008131412.tif 000006
【図５】
2008131412.tif 000007
【図６】
2008131412.tif 000008
【図７】
2008131412.tif 000009
【図８】
2008131412.tif 000010
【図９】
2008131412.tif 000011
【図１０】
2008131412.tif 000012
【図１１】
2008131412.tif 000013